(57)【要約】      （修正有）【課題】脚部折りたたみ改良応用ネット装置の一種を提供することで、ネット架けの足掛けを使用するにあたってその組み合わせをさらに安定的で簡便なものとし、片付ける時もより迅速で精巧なものとし、携帯と収納に便利なものとする。【解決手段】脚部折り畳み装置において、脚部は本体と二本の支柱から構成されており、当該足掛け本体はＴ字型で、相対する二側で開放した支柱を形成し、当該足掛けの支柱として用いることができる。もう一つの相対する二側の凸に設けられた支柱は溝につながっており、ネット掛けの底の支えと側面の支えで構成し、さらに進んで当該二側の支柱にもネットを張り、これによって簡単な構造で折りたたみと携帯に便利なネット掛けを構成できる。【選択図】図５
0003118409.tif 000002
【実用新案登録請求の範囲】
【請求項１】
脚部折りたたみ装置において、
足掛け本体であって、Ｔ字型をしてもり、相対の二側形成の開放された支え溝で、足掛けの支えに供され、また相対二側には凸に底バー部に側溝がつながれ、当該底部バーは底支として使え、当該の側バーは側支えに供される、足掛け本体、
収容座であって、その中心は孔になっており、当該収容座は当該の支えの上に設けられ、その外縁面には若干の解放された位置決め溝が設けられ、足掛け支えとその支えの収納時の位置決めに供せられる、上記収容座、
を包含し、構造が簡単で収納が簡便で収納携帯が簡単にできる脚部をもち、足掛けの相対設置が必要な組み合わせに適用できることを特徴とする、脚部折りたたみ装置。
【請求項２】
請求項１記載の脚部折り畳み装置において、そのうちの当該足掛け本体の支え溝および側バーの溝は外縁に近く内壁に相対した箇所にあり、やや凸の部分にあり、足掛け支えあるいは側支えを伸展するときの位置を提供できることを特徴とする、脚部折り畳み装置。
【請求項３】
二つの足掛け、一つの底支え、二つの支えバー、およびネットを包含し、
当該足掛けは、それぞれ一足掛け本体と二足掛けから構成され、当該足掛け本体はＴ字型で、開放されたバーの接続溝に相対し、第二足掛け支えとして使われ、またもう一つの相対する二側は底バーの接触部と接続溝につなぎ、当該底バーについてはその端に挿入することで、当該バーを当該の支えバーの一端につなぎ、
当該の支えバーは、二端のキットで二足掛けの底バーのあいだに長いバーを形成し、
当該支えバーは、一端で位置決め柱を利用して当該の側バーの接続溝の箇所とし、そのもう一方を予定の高度にまで立て、ネットの端として固定することで使用に供し、
当該のネットは、二端はそれぞれ二の側支えバーに固定し、
これにより、構造が簡単で折りたたみ簡便で収納携帯に便利なネット掛けが構成されることを特徴とする、脚部折り畳み装置応用ネット装置。
【請求項４】
請求項３記載の脚部折り畳み装置応用ネット装置において、当該足掛け本体の支え溝および支え溝の外縁に相対する内壁の箇所に、わずかに凸の部分を設け、足掛け支えバーあるいは支えバーを伸ばす時の位置決めに供することを特徴とする、脚部折り畳み装置応用ネット装置。
【請求項５】
請求項３記載の脚部折り畳み装置応用ネット装置において、当該底支えは横バーおよび二横向支えバーによって構成され、当該の横向バーの二端は凸から伸びた比較的小さな直径の接続部分で、当該の二横向支えに相対したキットである。また当該の二横向支えバーは別に当該足掛けの底バーの接続部を設け、また当該の底支えの分解と組み合わせを便利にするため、その内縁には柔軟ロープを張って、パイプ塞ぎで当該二横向支えバーの縁を設け、当該柔軟ロープ出に端を一つのロープで結んだ後、当該二管の内縁を塞ぎ、組み立てや使用時に柔軟性で制限のある支えバーとし、また当該の二横向き支えバーの外縁で適切な箇所に置座を設け、各当該の収納座の中心箇所に横向き支えバーの孔を開け、その外縁面に解放された位置決め溝を設け、足掛け支えによって折りたたみ時の位置を定めることを特徴とする、脚部折り畳み装置応用ネット装置。
【請求項６】
請求項３記載の脚部折り畳み装置応用ネット装置において、当該二側支えバーの内縁は、もう一つ別にバーを構成し、それは伸縮調整の機能を備え、ネットの二側への固定を通じて当該二側を支える時、当該の伸縮調整を利用することで、ネットをバトミントンやバレーボールに適したものとすることができることを特徴とする、脚部折り畳み装置応用ネット装置。
【考案の詳細な説明】
【技術分野】
【０００１】
本考案は、足掛けの技術領域の一種に属しており、特にネット掛けなどの組み合わせフラットンの脚部構造の改良を応用したことを指している。
【背景技術】
【０００２】
一般にネットを求められる球技はバトミントン、テニス、はねつき、バレーボールなどで、そのネットの多くは地面に固定された柱で張られる。このため一般人は遊びたい時は必ず学校や特定の場所に行かねばならない。しかし運動人口の増加と都市の球場部族に鑑み、人々は常に簡単なネットでプレイするようになっており、常にネットのもたらす不便さを感じるようになっている。このため、携帯と組み立てに便利な組み立て式のネットの一種を考案した。
【０００３】
まず第１図を参照されたし。特許文献１で明かされるネット装置で、その構成は主に二つの向管９２、二つの連結９３、メインフレーム９４、足管９５、柔軟ネット９６およびネット本体９７のパーツからなる。柔軟ロープ９６を上述の当該パーツのあいだに張り、ネットの取り付け、取り外しに便宜を図るものでが、これまでの考案は取り付け使用に際していかに述べる欠陥があった。まず当該足管９５は連結９３全体に組み合わさり、足管９６と連結９３のあいだには何の固定構造もなく、ゆえに足管９５は簡単に連結９３から離脱する。次に当該メインフレーム９４直立管９４１と横管９４２と当該横管９４２を渡す横接管９４３から構成され、当該メインフレーム９４は連結９３とつながるが、設計構造のわるさから、全体の構造が変形しやすい。上述の欠陥を受けて、もう一つの考案が生まれた。
【０００４】
第２図を参照されたし。それは特許文献２『ネット組み合わせ構造の改良』の考案で、この考案は上述のアメリカの捜索を改良した物であることから、主なパーツは同じで、２つの転接続、２つの縦向管、４つの横向き管、２つの柔軟ロープ、底管と各種連結器、ネット、柔軟キーおよびバインダーなどのパーツから構成され、また主な改良の特徴については『二つの転接続内部は空洞状態で、その各端から突出して四つの孔を貫き、二つの縦向管を適切な長さの空心管とし、接続上端でつなげる。四つの横向管も適切な長さの空心管で、二つの横向管と展接続の左右両側をそれぞれ貫いている。二つの柔軟ロープの柔軟性は横向管の一端へ固定され、接続が貫くもう一方の接続の左右を貫いている。底管の一端は転接続と貫かれており、もう一端と連結パイプがつながっている。ネットは左右に二つの布膜で管内に引っ張られ、ネット上出相互に対応する位置を設けている。柔軟キーも柔軟性で一端の縦向管から転接続を結んでおり、底管と連結する各連結管内に互いに対照するパーツを有し、縦向管ないで二つの縦向管、二つの転接続、二つの底管および各連結管を柔軟キーの牽制力で相互に一体化させる。柔軟キーの二反は端に止め、端止めは縦向管の内径よりやや大きく、ネットの側面上に固定する。バインダーは底管まで伸ばし、底管をより安定させ、バインダーに複数の大小欠け口をもたせる』これにより、柔軟ロープは横向管と転接続の内部にまで伸び、横向管は柔軟ロープの牽制力で左右につながれ、柔軟キーが縦向管に伸びる。転接続、底管および関連の各連結管内は、柔軟キーの牽制力で相互に一体化しており、ネットを縦向管にあわせるとき、柔軟キーの端を溝にはって、ネット全体の構造を安定させる。
【０００５】
上述の考案組み合わせ構造は、アメリカ合衆国特許の構造的欠陥を改善することはできるが、使用上の欠陥は存在しており、それについては後述する。まず二側の「足掛け」は「接続部」とセットで「横向管」で構成される。撤去・組み立て時にユーザーが力を入れて抜き、組み立てねばならないばかりでなく、時間と労力がかかる。同時に構造とバインダーの位置決めも不便。またこの考案の「柔軟ロープ」はかならず「転接続、縦向管、横向管および底管」などのパーツからなっており、構成上不便で同時に縦向管を撤去・構成する時も力が必要で、時間もかかり不便であり、これを改善する必要が認められる。
【０００６】
これに鑑み、本考案者は長年関係事業に携わった経験をもとに、上述の考案が直面する問題に深く研究をおこない、戦術のニーズに応じて積極的に解決の道を探り、長期の努力と研究と試作を通じて、ついに本考案『脚部折りたたみ改良応用ネット装置』を成功させ、上述の欠陥を改善するに至った。
【０００７】
【特許文献１】米国特許公示第５８１６９５６号
【特許文献２】台湾特許公示第５４３４８６号
【考案の開示】
【考案が解決しようとする課題】
【０００８】
本考案の主な目的は、『脚部折りたたみ改良応用ネット装置』の一種を提供することで、ネット架けの足掛けを使用するにあたってその組み合わせをさらに安定的で簡便なものとし、片付ける時もより迅速で精巧なものとし、携帯と収納に便利なものとすることにある。
【０００９】
上述の効果、目的を達成するため、本考案『脚部折りたたみ改良応用ネット装置』はその片付けやすい脚部を網掛けに応用し、足掛け二つ、底支え一つ、支えバー二つ、およびネットを構成し、その中の当該足掛けを足掛け本体と足掛けバー二本で構成し、当該の足掛け本体はT 字型としし、相対する二側に開放構造の支えを設け、当該の二本の脚部支えを利用して位置固めを行い、もう一つの二側で凸を設けて底支えおよび横支え溝で当該底支えを支えの一端に差込み、当該の支えの一端を構成させる。当該の底支えは支えセットを足掛けとその底支えのあいだに長いバーを置き、多段式構造とし、横向きのバーと横向きの支えで構成し、当該横向支えは小さな径度のものにつなぎ、二横向支を一端のセットに相対させる。また当該の二横向バーはもう一端をロープで二管のうち縄に結び、撤去・組み立てで使用するときに柔軟な制限のある底支えとし、同時に横向支えの外側にも各種セットを配して脚部の支えと側部の支えを撤収する。また二側支えを利用して当該足掛けを接続溝につなぐとき、その端の予定高度にまでたて、ネット網を固定するとき、同時にその伸縮時代の支えを設計し、簡単で収納に便利なネットキットとすることができる。
【００１０】
本考案の採用する技術、手段およびその効能のうち、比較的よい実施例を図とともに詳細に後述する。本考案の上述の目的、構造および特徴についてより深くご理解いただけるものと確信する。
【課題を解決するための手段】
【００１１】
請求項１の考案は、脚部折りたたみ装置において、
足掛け本体であって、Ｔ字型をしてもり、相対の二側形成の開放された支え溝で、足掛けの支えに供され、また相対二側には凸に底バー部に側溝がつながれ、当該底部バーは底支として使え、当該の側バーは側支えに供される、足掛け本体、
収容座であって、その中心は孔になっており、当該収容座は当該の支えの上に設けられ、その外縁面には若干の解放された位置決め溝が設けられ、足掛け支えとその支えの収納時の位置決めに供せられる、上記収容座、
を包含し、構造が簡単で収納が簡便で収納携帯が簡単にできる脚部をもち、足掛けの相対設置が必要な組み合わせに適用できることを特徴とする、脚部折りたたみ装置としている。
請求項２の考案は、請求項１記載の脚部折り畳み装置において、そのうちの当該足掛け本体の支え溝および側バーの溝は外縁に近く内壁に相対した箇所にあり、やや凸の部分にあり、足掛け支えあるいは側支えを伸展するときの位置を提供できることを特徴とする、脚部折り畳み装置としている。
請求項３の考案は、二つの足掛け、一つの底支え、二つの支えバー、およびネットを包含し、
当該足掛けは、それぞれ一足掛け本体と二足掛けから構成され、当該足掛け本体はＴ字型で、開放されたバーの接続溝に相対し、第二足掛け支えとして使われ、またもう一つの相対する二側は底バーの接触部と接続溝につなぎ、当該底バーについてはその端に挿入することで、当該バーを当該の支えバーの一端につなぎ、
当該の支えバーは、二端のキットで二足掛けの底バーのあいだに長いバーを形成し、
当該支えバーは、一端で位置決め柱を利用して当該の側バーの接続溝の箇所とし、そのもう一方を予定の高度にまで立て、ネットの端として固定することで使用に供し、
当該のネットは、二端はそれぞれ二の側支えバーに固定し、
これにより、構造が簡単で折りたたみ簡便で収納携帯に便利なネット掛けが構成されることを特徴とする、脚部折り畳み装置応用ネット装置としている。
請求項４の考案は、請求項３記載の脚部折り畳み装置応用ネット装置において、当該足掛け本体の支え溝および支え溝の外縁に相対する内壁の箇所に、わずかに凸の部分を設け、足掛け支えバーあるいは支えバーを伸ばす時の位置決めに供することを特徴とする、脚部折り畳み装置応用ネット装置としている。
請求項５の考案は、請求項３記載の脚部折り畳み装置応用ネット装置において、当該底支えは横バーおよび二横向支えバーによって構成され、当該の横向バーの二端は凸から伸びた比較的小さな直径の接続部分で、当該の二横向支えに相対したキットであるとしている。また当該の二横向支えバーは別に当該足掛けの底バーの接続部を設け、また当該の底支えの分解と組み合わせを便利にするため、その内縁には柔軟ロープを張って、パイプ塞ぎで当該二横向支えバーの縁を設け、当該柔軟ロープ出に端を一つのロープで結んだ後、当該二管の内縁を塞ぎ、組み立てや使用時に柔軟性で制限のある支えバーとし、また当該の二横向き支えバーの外縁で適切な箇所に置座を設け、各当該の収納座の中心箇所に横向き支えバーの孔を開け、その外縁面に解放された位置決め溝を設け、足掛け支えによって折りたたみ時の位置を定めることを特徴とする、脚部折り畳み装置応用ネット装置としている。
請求項６の考案は、請求項３記載の脚部折り畳み装置応用ネット装置において、当該二側支えバーの内縁は、もう一つ別にバーを構成し、それは伸縮調整の機能を備え、ネットの二側への固定を通じて当該二側を支える時、当該の伸縮調整を利用することで、ネットをバトミントンやバレーボールに適したものとすることができることを特徴とする、脚部折り畳み装置応用ネット装置としている。
【考案の効果】
【００１２】
本考案の主な目的は、『脚部折りたたみ改良応用ネット装置』の一種を提供することで、ネット架けの足掛けを使用するにあたってその組み合わせをさらに安定的で簡便なものとし、片付ける時もより迅速で精巧なものとし、携帯と収納に便利なものとすることにある。
【考案を実施するための最良の形態】
【００１３】
本考案の構造設計と技術についてさらにご理解いただくため図を配し後の通り説明する。
【００１４】
第３図〜第８図を参照されたし。本考案『脚部折りたたみ構造応用ネット装置』には足掛け１０、および第二足掛け１０の組み合わせがあり、『網掛け』の底支え２０、側支３０とネット４０などのパーツがあり、そのなかには:
【００１５】
当該二足掛け１０をネット掛けの平行相対設計に応用したもので、各当該足掛け１０は足掛け本体１１および二脚支え１２で構成され、当該足掛け本体１１はT 字型を呈しており、相対する側型が開放を形成する構想があり、U 字型の支え接続溝１１１で当該二脚支え１２、を一端に設置後、再び一体柱５１を利用して、構成を固定し、また一方の二側には凸に底バー接続部１１２があり、凹にはバー接続溝１１３、当該バーの接続部１１２は当該底支えバー２０を利用して一端に挿入して固定し、当該バー接続溝１１３から支えバー３０の一端をなす。また当該支えバー溝１１１および側接続溝１１３の遠近縁に相対する内壁があり、またわずかに突出した箇所１１４を設け、足掛けのバー１２および側面支え３０を提供し、伸ばす時の位置を定める。
【００１６】
当該支えバー２０は二端キットの当該二足掛け１０のその凸部分の底バーの部分１１２のあいだの長いバーで、一横向きのバー２１および二横向きのバー２２キットで構成し、当該横向きバー２１の二端の各凸が比較的小さな径度のキット接続段２１１に伸び、当該の二横向きバー２２に相対の一端キットを供し、また当該二横向きのバー２２でもう一つの当該二足掛け１０の底部バー１１２の箇所に設けられる。また当該の底支え２０の構成する構造の撤去と組み合わせでは、その内縁の二端のあいだにもう一つ柔軟ロープ５２を設置し、また二パイプ塞ぎ５３キットの二横向きバー２２の端からつなぎ、また当該の柔軟ロープ５２の二端で一ロープ５２１結びつけ、後に当該の二パイプ塞ぎ５３の内縁にかませ、さらに撤去・組み合わせで使用した制限に柔軟性を備えた支えバー２０を使用する。
【００１７】
また、二円盤状の収納座６０はキットを当該二横向きバー２２の外縁の適切な箇所に置き、各当該収納座６０の中心の適切な箇所にそれぞれ当該の横向きのバー２２を設け孔６１を貫き、またその外縁面に若干の開放した位置決め溝６２を設け、足掛けの支え１２および側面支えバー３０を用いることで収納時の位置決めとする。
【００１８】
当該二側支えバー３０は単一の長いバーあるいは伸縮できる長いバーで、一端に孔３０１、位置決め孔５１があいており、当該足掛け１０の接続溝１１３の箇所につながることで、予定の高さ位置に固定でき、ネット４０としての使用に供することができる。また第８図の示すとおり、各当該支えバー３０が伸縮構造のとき、その内バー３１が構成し、当該内バー３１は側支え３０内の伸縮位置に相対し、ネジで固定パーツ５４を固定し、これを利用して党内の内バー３１の高度伸縮を調整し、ネット４０を高く固定し、底位置を調整し、またネットをバトミントンやバレーボールに適した高さにする。
【００１９】
当該ネット４０は一般のネットで、その二端には口４１が設けられており、当該二側支え３０の一端を用いて結合する。
【００２０】
これによると、上述の構成を通じて、構造が簡単で折りたたみが簡便で容易に収納でき携帯便利なネット掛けとする。本考案が使用する最大の特徴は、当該二足掛け１０の足掛け支えバー１２および側支えバー３０が収納、展開使用の別を問わず、力を掛けずに組み立てを実現できることで、わずかな力で足掛け支え１２および側面支え３０で収納あるいは展開の動作を行うことができ、時間と力を節約でき、迅速で簡便である。このほかに柔軟ロープ５２はわずかに底支えバー２０でのみはることができ、側支えバー３０を必要とせず、さらに網掛けが簡単で便利になる。
【図面の簡単な説明】
【００２１】
【図１】第一種の習用考案の組み合わせ外観である。
【図２】第二種の習用考案の立体分解図である。
【図３】本考案の足掛け部の立体組み合わせ外観図である。
【図４】本考案の足掛け部の立体分解図である。
【図５】本考案の足掛けの立体組み合わせ外観図である。
【図６】本考案のネット掛けの立体分解図である。
【図７】本考案のネット掛け組み合わせの平面図である。
【図８】本考案の網掛けのもう一つの応用実施例の組み合わせ平面図である。
【符号の説明】
【００２２】
１０  足掛け
１１  足掛け本体
１１１  支え接続溝
１１２  底支え
１１３  側支溝
１１４  挟置部
１２  足掛支えバー
２０  底支えバー
２１  横向バー
２１１  セット接続団
２２  横向支バー
３０  側支バー
３０１  穿孔
３１  内バー
４０  ネット
４１  セット口
５１  位置決め柱
５２  柔軟ロープ
５２１  縄結び
５３  パイプ塞ぎ
５４  ビス
６０  収納座
６１  置孔
６２  位置決め溝
【図１】
0003118409.tif 000003
【図２】
0003118409.tif 000004
【図３】
0003118409.tif 000005
【図４】
0003118409.tif 000006
【図５】
0003118409.tif 000007
【図６】
0003118409.tif 000008
【図７】
0003118409.tif 000009
【図８】
0003118409.tif 000010